(57)【要約】【課題】乗りかごの室内に緊急用のトイレを有するエレベータにおいて、用便後における乗りかごの室内の環境低下を抑制すること。【解決手段】エレベータ用トイレ装置１は、乗りかご１３の室内１３Ｉに緊急用のトイレを有するエレベータに適用される。便器２と、タンク５と、吸引ポンプ４と、を含む。便器２は、エレベータの乗りかご１３の内壁１３Ｓに設けられる。タンク５は、乗りかご１３の外部に設けられて、便器２に排泄された排泄物を取り込む。吸引ポンプ４は、便器２内の排泄物を、タンク５へ搬送する。【選択図】図３
2012184089.tif 000002
【特許請求の範囲】
【請求項１】
エレベータの乗りかごの内壁に設けられる便器と、
前記乗りかごの外部に設けられて、前記便器に排泄された排泄物を取り込むタンクと、
前記便器内の排泄物を、前記タンクへ搬送する吸引ポンプと、
を含むエレベータ用トイレ装置。
【請求項２】
前記便器は、前記内壁から前記乗りかごの室内に引き出すことができるとともに、前記内壁の外側へ収納できる請求項１に記載のエレベータ用トイレ装置。
【請求項３】
前記便器は、前記乗りかごの床側に設けられた水平軸を中心として回動することにより、前記内壁から前記乗りかごの室内に引き出すことができるとともに、前記内壁の外側へ収納できる請求項２に記載のエレベータ用トイレ装置。
【請求項４】
前記便器は、前記乗りかごに設けられたスライド機構を介して前記乗りかごに支持されており、前記内壁から前記乗りかごの室内に引き出すことができるとともに、前記内壁の外側へ収納できる請求項２に記載のエレベータ用トイレ装置。
【請求項５】
前記便器の側部に収納部を設ける請求項１から４のいずれか１項に記載のエレベータ用トイレ装置。
【発明の詳細な説明】
【技術分野】
【０００１】
本発明の実施形態は、エレベータ用トイレ装置に関する。
【背景技術】
【０００２】
エレベータは、緊急時に使用するため、乗りかごの室内にトイレを設けたものがある。
【先行技術文献】
【特許文献】
【０００３】
【特許文献１】特開２００８−０８１２２４号公報
【発明の概要】
【発明が解決しようとする課題】
【０００４】
本発明の解決しようとする課題は、乗りかごの室内に緊急用のトイレを有するエレベータにおいて、用便後における乗りかごの室内の環境低下を抑制することを目的とする。
【課題を解決するための手段】
【０００５】
実施形態のエレベータ用トイレ装置は、便器と、タンクと、吸引ポンプと、を含む。便器は、エレベータの乗りかごの内壁に設けられる。タンクは、前記乗りかごの外部に設けられて、前記便器に排泄された排泄物を取り込む。吸引ポンプは、前記便器内の排泄物を、前記タンクへ搬送する。
【図面の簡単な説明】
【０００６】
【図１】図１は、実施形態１に係るエレベータ用トイレ装置を備えるエレベータの構成図である。
【図２】図２は、実施形態１に係るエレベータ用トイレ装置を有する乗りかごの内部を示す斜視図である。
【図３】図３は、実施形態１に係るエレベータ用トイレ装置を有する乗りかごの断面図である。
【図４】図４は、実施形態２に係るエレベータ用トイレ装置を有する乗りかごの内部を示す斜視図である。
【図５】図５は、実施形態２に係るエレベータ用トイレ装置を有する乗りかごの内部を示す斜視図である。
【図６】図６は、実施形態２の第１変形例に係るエレベータ用トイレ装置を有する乗りかごの内部を示す斜視図である。
【図７】図７は、実施形態２の第１変形例に係るエレベータ用トイレ装置を有する乗りかごの内部を示す斜視図である。
【図８】図８は、実施形態２の第３変形例に係るエレベータ用トイレ装置を有する乗りかごの内部を示す斜視図である。
【図９】図９は、実施形態２の第３変形例に係るエレベータ用トイレ装置を有する乗りかごの内部を示す斜視図である。
【発明を実施するための形態】
【０００７】
以下に、本発明を実施するための形態（実施形態）を図面に基づいて詳細に説明する。
【０００８】
（実施形態１）
図１は、実施形態１に係るエレベータ用トイレ装置を備えるエレベータの構成図である。エレベータ１０は、昇降路１１と、ガイドレール１２ａ、１２ｂと、乗りかご１３と、カウンターウェイト１４と、ワイヤーロープ１５と、シーブ（滑車の車）１６ａと、そらせシーブ１６ｂと、電動機１７と、ドライバ１８と、を含む。乗りかご１３は、エレベータ用トイレ装置（以下、必要に応じてトイレ装置という）１を有している。
【０００９】
ガイドレール１２ａ、１２ｂは、昇降路１１内に設けられており、鉛直方向（重力の作用方向）と平行な方向における乗りかご１３の移動を案内する。このような構造により、乗りかご１３は、昇降路１１内をガイドレール１２ａ、１２ｂに沿って昇降する。乗りかご１３は、エレベータ１０等の利用者が搭乗する構造物であり、搭乗した利用者を異なる階へ移動させる。
【００１０】
乗りかご１３は、カウンターウェイト１４とワイヤーロープ１５によって連結される。ワイヤーロープ１５は、シーブ１６ａ及びそらせシーブ１６ｂに巻き掛けられている。シーブ１６ａは、電動機１７の回転シャフトに連結されており、電動機１７によって回転させられる。このような構造により、乗りかご１３は、電動機１７の駆動によるシーブ１６ａの回転にともない、カウンターウェイト１４とともに、互いに上下反対方向に昇降する。なお、乗りかご１３の駆動方式は、油圧等、他の方式であってもよい。また、エレベータ１０は、乗りかご１３の下方にシーブを備えるかご下シーブ式であってもよい。このように、本実施形態においては、乗りかご１３の駆動方式やエレベータの形式は問わない。
【００１１】
電動機１７は、例えば、誘導電動機や同期電動機であり、ドライバ１８によって動作が制御される。ドライバ１８は、エレベータ１０を構成する機器の一つであり、例えば、インバータを備えている。ドライバ１８は、制御装置からの制御信号に基づいて、電動機１７を駆動する。
【００１２】
図２は、実施形態１に係るエレベータ用トイレ装置を有する乗りかごの内部を示す斜視図である。図３は、実施形態１に係るエレベータ用トイレ装置を有する乗りかごの断面図である。トイレ装置１は、図１に示すエレベータ１０の乗りかご１３の内壁１３Ｓに設けられる便器２と、乗りかご１３の外部に設けられて、便器２に排泄された排泄物を取り込むタンク５と、便器２内の排泄物を、タンク５へ搬送する吸引ポンプ４と、を含む。本実施形態において、トイレ装置１は、便器２とタンク５とを接続して、便器２に排泄された排泄物をタンク５へ導くホース６を有する。
【００１３】
便器２は、筐体で囲まれる空間と、座面２Ｔと、座面２Ｔに開く開口２Ｈを有している。トイレ装置１の使用者は、開口２Ｈから前記空間に用便をする。使用者は、必要に応じて便器２の座面２Ｔに腰掛けることもできる。便器２の前記空間内に排泄された排泄物は、吸引ポンプ４に吸引されてホース６を通り、タンク５に溜められる。本実施形態において、便器２は、蓋２Ｆを有している。蓋２Ｆは、蓋用蝶番２Ｃによって便器２と連結されている。そして、蓋２Ｆは、蓋用蝶番２Ｃを中心として揺動する（図２の矢印Ｒで示す方向）。このような蓋２Ｆの動作により、開口２Ｈを開閉することができる。排泄物がタンク５に移動した後、蓋２Ｆで開口２Ｈを閉じることにより、タンク５内の臭いがホース６及び便器２を通って乗りかご１３の室内１３Ｉに逆流することを抑制できる。なお、蓋２Ｆは必ずしも設ける必要はない。
【００１４】
便器２は、少なくとも使用時には乗りかご１３の内壁１３Ｓに設けられる。吸引ポンプ４及びタンク５は、図３に示すように、乗りかご１３の床下、すなわち、床１３Ｂの乗りかご１３の搭乗側（内側）とは反対側に取り付けられる。本実施形態において、吸引ポンプ４及びタンク５は、少なくとも使用時には乗りかご１３の床下に設けられる。このように、吸引ポンプ４及びタンク５を床下に設けることにより、スペースを有効利用できる。また、吸引ポンプ４が便器２から排泄物をタンク５へ移動させる場合、重力を排泄物に作用させることにより、重力を利用して排泄物をタンク５へ移動させることができる。このようにすることで、吸引ポンプ４の消費エネルギーを低減することができる。
【００１５】
収納部３は、紙、手洗い用の水及び手拭き用のタオル等を収納している。本実施形態において、便器２は、使用されないときは便器２の側部に配置される収納部３に収納される。便器２は、使用されるときに収納部３から取り出されて乗りかご１３の内壁１３Ｓに設けられる。また、吸引ポンプ４、タンク５及びホース６も、使用されないときには収納部３に収納されるようにしてもよい。便器２は、使用時に内壁１３Ｓに取り付けられるが、常時内壁１３Ｓに取り付けられていてもよい。収納部３は、乗りかご１３の室内１３Ｉ、例えば、室内１３Ｉの隅に配置してもよいし、乗りかご１３の外側に配置されて使用時には室内１３Ｉへ引き出されるようにしてもよい。すなわち、収納部３は、乗りかご１３の内壁１３Ｓの外側に収納できるようにし、トイレ装置１の使用時には内壁１３Ｓの外側から引き出し、トイレ装置１を使用しないときには内壁１３Ｓの外側へ収納してもよい。便器２、タンク５、吸引ポンプ４及びホース６は、乗りかご１３に対して取り付け及び取り外しできるようにすることが好ましい。このようにすることで、トイレ装置１を使用した後は、これらを洗浄することができるので、トイレ装置１を再利用することができる。
【００１６】
トイレ装置１は、例えば、地震等の災害発生時、停電時又は故障時に、エレベータ１０の乗りかご１３内へ利用者が閉じこめられた場合に使用される。トイレ装置１を使用する場合、収納部３から便器２を取り出して組み立て、必要に応じてホース６で便器２とタンク５とを接続する。なお、便器２とタンク５とは、ホース６で予め接続されていてもよい。この状態で、閉じこめられた利用者は、便器２の開口２Ｈを通じて用便する。用便後、吸引ポンプ４を駆動することにより、吸引ポンプ４は便器２内の排泄物をタンク５へ移動させる。吸引ポンプ４は、例えば、電動吸引ポンプである。非常時には、商用電源から吸引ポンプ４を駆動する電力を得られないことが想定される。このため、収納部３は、吸引ポンプ４の駆動用電源、例えば、二次電池又はキャパシタを有している。前記駆動用電源により、吸引ポンプ４が駆動される。便器２が蓋２Ｆを備えていない場合、用便後に便器２を収納部３に収納することにより、タンク５内の臭いがホース６及び便器２を通って乗りかご１３の室内１３Ｉに逆流することを抑制できる。
【００１７】
トイレ装置１は、用便後に排泄物を便器２から乗りかご１３の外部、本実施形態では乗りかご１３の床下に設けられたタンク５に移動させる。このような処理により、トイレ装置１は、排泄物を乗りかご１３の室外へ移動させることができるので、排泄物を原因とする異臭が乗りかご１３の室内１３Ｉに充満することを抑制することができる。その結果、トイレ装置１は、乗りかご１３内に緊急用のトイレを有するエレベータ１０において、乗りかご１３の室内１３Ｉに緊急用のトイレを有するエレベータ１０において、用便後における乗りかご１３の室内１３Ｉの環境低下を抑制することができる。そして、トイレ装置１は、用便後に乗りかご１３の室内１３Ｉへ異臭が充満することによる利用者の精神的苦痛を低減することができる。
【００１８】
（実施形態２）
図４、図５は、実施形態２に係るエレベータ用トイレ装置を有する乗りかごの内部を示す斜視図である。実施形態２のトイレ装置１ａは、実施形態１のトイレ装置１と同様であるが、トイレ装置１ａは、便器２ａが、乗りかご１３の内壁１３Ｓから乗りかご１３の室内１３Ｉに引き出すことができるとともに、内壁１３Ｓの外側へ収納できる点が異なる。本実施形態において、トイレ装置１ａは、便器２ａが、乗りかご１３の床１３Ｂ側に設けられた水平軸を中心として回動することにより、内壁１３Ｓから乗りかご１３の室内１３Ｉに引き出すことができるとともに、内壁１３Ｓの外側へ収納できる。
【００１９】
便器２ａは、乗りかご１３の床１３Ｂ側に回動機構として便器用蝶番７を有する。便器用蝶番７の回動軸が、前記水平軸となる。便器２ａは、便器用蝶番７の回動軸を中心として、扇形の軌跡を描いて開閉する。本実施形態においては、収納部３ａも便器２ａとともに、便器用蝶番７の回動軸を中心として、扇形の軌跡を描いて開閉する。トイレ装置１の使用時には、便器２ａが内壁１３Ｓから引き出される（図４の矢印Ａで示す方向）。使用後は、便器２ａが内壁１３Ｓ内に向かって移動して、内壁１３Ｓの外部に収納される（図５の矢印Ｂで示す方向）。トイレ装置１ａは、使用されないときには、乗りかご１３の内壁１３Ｓの外に収納される。このため、乗りかご１３の室内１３Ｉに便器２ａ及び収納部３ａが張り出さないので、室内１３Ｉを利用者のスペースとして有効に利用することができる。また、用便後に便器２ａを内壁１３Ｓの外側に収納することにより、タンク５内の臭いがホース６及び便器２ａを通って乗りかご１３の室内１３Ｉに逆流することを抑制できる。その結果、用便後にエレベータ１０のかご内へ異臭が充満することによるエレベータの利用者の苦痛をより効果的に低減することができる。
【００２０】
（実施形態２の第１変形例）
図６、図７は、実施形態２の第１変形例に係るエレベータ用トイレ装置を有する乗りかごの内部を示す斜視図である。本変形例のトイレ装置１ｂは、実施形態２のトイレ装置１ａと同様であるが、トイレ装置１ｂは、便器２ｂが、乗りかご１３の内壁１３Ｓから乗りかご１３の室内１３Ｉに引き出すことができる。トイレ装置１ｂが有する便器２ｂは、乗りかご１３に設けられたスライド機構８を介して乗りかご１３に支持されており、内壁１３Ｓから乗りかご１３の室内１３Ｉに引き出すことができるとともに、内壁１３Ｓの外側へ収納できる。
【００２１】
便器２ｂは、乗りかご１３の床１３Ｂに設けられたスライド機構８を介して、乗りかご１３の室内１３Ｉと外部との間でスライドできるようになっている。本実施形態においては、収納部３ｂも便器２ｂとともに、乗りかご１３の室内１３Ｉと外部との間でスライドできるようになっている。トイレ装置１の使用時には、便器２ｂが内壁１３Ｓから引き出される。（図６の矢印Ａで示す方向）。使用後は、便器２ｂが内壁１３Ｓ内に向かって移動して、内壁１３Ｓの外部に収納される（図７の矢印Ｂで示す方向）。トイレ装置１ｂも、上述したトイレ装置１ａと同様に、使用されないときには、乗りかご１３の内壁１３Ｓの外に収納される。このため、乗りかご１３の室内１３Ｉに便器２ｂ及び収納部３ｂが張り出さないので、室内１３Ｉを利用者のスペースとして有効に利用することができる。また、用便後に便器２ｂを内壁１３Ｓの外側に収納することにより、タンク５内の臭いがホース６及び便器２ｂを通って乗りかご１３の室内１３Ｉに逆流することを抑制できる。その結果、用便後にエレベータ１０のかご内へ異臭が充満することによるエレベータの利用者の苦痛をより効果的に低減することができる。
【００２２】
（実施形態２の第３変形例）
図８、図９は、実施形態２の第３変形例に係るエレベータ用トイレ装置を有する乗りかごの内部を示す斜視図である。本変形例のトイレ装置１ｃは、実施形態２及び第１変形例のトイレ装置１ａ、１ｂと同様であるが、トイレ装置１ｃは、便器２ｃが、乗りかご１３の床１３Ｂから乗りかご１３の室内１３Ｉに引き出すことができる。便器２ｃは、乗りかご１３の床下に、例えば、スライド機構を介して取り付けられる。このような構造により、便器２ｃは、乗りかご１３の室内１３Ｉと外部との間でスライドできるようになっている。本実施形態においては、収納部３ｃも便器２ｃとともに、乗りかご１３の室内１３Ｉと外部との間でスライドできるようになっている。
【００２３】
便器２ｃは、蓋２Ｆｃを有しており、トイレ装置１ｃを使用しないとき、すなわち、便器２ｃ及び収納部３ｃが床下に収納されているときには、床１３Ｂの一部となる。トイレ装置１の使用時には、便器２ｃが床１３Ｂから引き上げられる。（図８の矢印Ａで示す方向）。使用後は、便器２ｃが床下に向かって移動して収納される（図９の矢印Ｂで示す方向）。トイレ装置１ｃも、上述したトイレ装置１ａ、１ｂと同様に、使用されないときには、乗りかご１３の外部に収納される。このため、乗りかご１３の室内１３Ｉに便器２ｃ及び収納部３ｃが張り出さないので、室内１３Ｉを利用者のスペースとして有効に利用することができる。また、用便後に便器２ｃを内壁１３Ｓの外側に収納することにより、タンク５内の臭いがホース６及び便器２ｃを通って乗りかご１３の室内１３Ｉに逆流することを抑制できる。その結果、用便後にエレベータ１０のかご内へ異臭が充満することによるエレベータの利用者の苦痛をより効果的に低減することができる。
【００２４】
以上説明した少なくとも一つの実施形態のトイレ装置は、便器、吸引ポンプ及びタンクを有することにより、吸引ポンプが便器から排泄物を乗りかごの室内から室外へ移動させ、タンク内に溜めておくことができる。その結果、以上説明した少なくとも一つの実施形態のトイレ装置は、乗りかごの室内に緊急用のトイレを有するエレベータにおいて、用便後における乗りかごの室内の環境低下を抑制することができる。
【００２５】
本発明のいくつかの実施形態を説明したが、これらの実施形態は、一例として提示したものであり、本発明の範囲を限定することを意図したものではない。これらの実施形態は、その他の様々な形態で実施されることが可能であり、本発明の要旨を逸脱しない範囲で種々の省略、置換又は変更を行うことができる。これらの実施形態及びその変形は、本発明の範囲及び要旨に包含されるとともに、特許請求の範囲に記載された発明とその均等の範囲に含まれるものである。
【符号の説明】
【００２６】
１、１ａ、１ｂ、１ｃ  エレベータ用トイレ装置（トイレ装置）
２、２ａ、２ｂ、２ｃ  便器
２Ｆ、２Ｆｃ  蓋
３、３ａ、３ｂ、３ｃ  収納部
４  吸引ポンプ
５  タンク
６  ホース
８  スライド機構
１０  エレベータ
１１  昇降路
１３  乗りかご
１３Ｉ  室内
１３Ｂ  床
１３Ｓ  内壁
【図１】
2012184089.tif 000003
【図２】
2012184089.tif 000004
【図３】
2012184089.tif 000005
【図４】
2012184089.tif 000006
【図５】
2012184089.tif 000007
【図６】
2012184089.tif 000008
【図７】
2012184089.tif 000009
【図８】
2012184089.tif 000010
【図９】
2012184089.tif 000011